【手続補正書】
【提出日】平成28年3月11日(2016.3.11)
【手続補正１】
【補正対象書類名】明細書
【補正対象項目名】０００３
【補正方法】変更
【補正の内容】
【０００３】
傷が慢性的になり非治癒性になった場合又は感染症が定着した場合など傷が大量の滲出液を生じる場合、治癒過程が緩慢になり、周囲の皮膚の浸軟を導く可能性がある。この種の傷は大量の滲出液を生じ、これが、傷の治療に重大な問題を引き起こす可能性がある。
ある特許文献には、酸素を拡散して傷の部位における酸素レベルを示すことができる治癒性傷用手当用品が開示されている（例えば、特許文献１参照。）。この傷用手当用品は、上側気体透過性層と下側気体透過性層の間に形成された再充填可能なリザーバを備えている。この傷用手当用品は、上側気体透過性層の周囲に重なって患者の傷の周りの皮膚に押圧されるためのリザーバの周囲を越えて延びている接着層であって、下側気体透過性層が傷を直接的に覆って位置決めされるように傷用手当用品を患者にシールする、接着層をさらに備えている。この傷用手当用品は、さらに、傷の部位における酸素レベルを示すための酸素レベルインディケータを備えている。
また、別の特許文献には、酸素等の第１流体に不透過性である層と、損傷した組織を覆って位置決めするための第１流体に透過性である層とを備えた高圧手当用品を開示していいる（例えば、特許文献２参照。）。流体透過性の層の縁部と流体不透過性の層の縁部が、共にシールされ、この手当用品の縁部は、患者の傷を包囲する皮膚に留めることができる。第１流体が送達される時、第１流体は、流体透過性の層を通して手当用品と傷の間のヘッドスペースへ透過する。傷の滲出液等の第２流体の通過が可能となるように手当用品によって形成されているミシン目が、ヘッドスペース内の圧力が所定圧力を超えて時に開口し、第２流体が流体透過性層と流体不透過性層を通過することができる。
また、別の特許文献には、損傷した組織の周りで包囲空間を形成するための傷の滲出液等の第１流体に不透過性である包囲層と、損傷した組織と接触可能でありかつ第１流体に吸収性がある吸収層と、酸素等の第２流体を包囲空間へ送達するための流体導管とを備えた、高圧手当用品が開示されている（例えば、特許文献３参照。）。この流体導管は、包囲空間内へ延びるように配置されており、損傷した組織から離間している。
また、別の特許文献には、傷を覆ってシールして位置決めするための不透過性傷カバーと、傷カバーの下かつ傷を覆って位置決めするための連続気泡フォームや強固な多孔性材料等の材料のスクリーンと、酸素及び他の薬剤を提供して傷への直接的に圧力を減じるように、傷カバー内で治療部位を覆って吸引力を供給するための真空ポンプとを備えた、傷治療装置が開示されている（例えば、特許文献４参照。）。
また、別の特許文献には、傷に隣接した環境を制御するように構成された包帯システムで表面の傷を治療するための傷治療装置開示されている（例えば、特許文献５参照。）。この装置は、傷を覆いかつ傷の周囲及び傷を覆ったキャビティの周りでシールを提供するための包帯と、キャビティ内にありかつ互いに連通している、流体供給導管及び流体排出導管と、医薬流体を傷に供給するために流体供給導管に連結されたネブライザと、傷から流体を除去するための流体排出導管に連結された廃棄物用容器とを備えている。
【手続補正２】
【補正対象書類名】明細書
【補正対象項目名】０００４
【補正方法】変更
【補正の内容】
【０００４】
【特許文献１】米国特許出願公開第２０１２／００５９３０１号明細書
【特許文献２】国際公開公報第２０１０／０２０７５９号
【特許文献３】英国特許出願公開第２４７０３５８号明細書
【特許文献４】米国特許出願公開第２００３／０１２３５７号明細書
【特許文献５】国際公開公報第２０００／００７６５３号
【手続補正３】
【補正対象書類名】明細書
【補正対象項目名】０００６
【補正方法】変更
【補正の内容】
【０００６】
従って、本発明は、酸素の供給を受けるための酸素送達領域と、酸素送達領域から延びる複数の酸素分配管であって、複数の酸素分配管の中の少なくともいくつかの酸素分配管が酸素透過性液体不透過性である壁区分を備える、傷へ酸素を供給するために傷の中に位置付けできる酸素分配器を提供できる。
【手続補正４】
【補正対象書類名】明細書
【補正対象項目名】００５３
【補正方法】変更
【補正の内容】
【００５３】
酸素分配部の面積を評価するために適する閉鎖形状は、酸素分配部の半径方向最外部点を直線でつなぐ直線辺を持つ多角形である。酸素分配部が周縁管又はトラックを備える場合、その面積は、周縁管又はトラックを境界とする面積である。酸素分配システムも提供される。酸素分配システムは、上述の酸素分配器と、酸素分配器に接続されかつ酸素分配器の酸素送達領域へ酸素を供給するための酸素発生器とを備えている。
【手続補正５】
【補正対象書類名】特許請求の範囲
【補正対象項目名】全文
【補正方法】変更
【補正の内容】
【特許請求の範囲】
【請求項１】
傷へ酸素を供給するために傷の中に位置付けできる酸素分配器（１）において、
酸素の供給を受けるための酸素送達領域（１７）と、
前記酸素送達領域から延びた複数の酸素分配管（１９Ａ）であって、前記複数の酸素分配管（１９Ａ）の中の少なくともいくつかの酸素分配管（１９Ａ）が、酸素透過性液体不透過性壁区分を有する、複数の酸素分配管（１９Ａ）とを備えた、酸素分配器（１）。
【請求項２】
前記酸素送達領域（１７）から放射状に延びる複数の酸素分配管（１９Ａ）を備えていることを特徴とする、請求項１に記載の酸素分配器。
【請求項３】
ウェブ又はメッシュの形態の酸素分配管のネットワークを備えていることを特徴とする、請求項１又は２に記載の酸素分配器。
【請求項４】
前記酸素送達領域（１７）がリング状管を備え、好ましくは、前記酸素送達領域の前記リング状管が、酸素透過性液体不透過性壁区分を備えることを特徴とする、請求項１〜３のいずれか１項に記載の酸素分配器。
【請求項５】
１本又はそれ以上の酸素分配分岐管（２１）を備え、前記酸素分配分岐管が酸素透過性液体不透過性壁区分を備えることを特徴とする、請求項１〜４のいずれか１項に記載の酸素分配器。
【請求項６】
各酸素分配分岐管が前記酸素分配器の周囲の１つの区分の周りに又はこれに沿って延びることを特徴とする、請求項５に記載の酸素分配器。
【請求項７】
各酸素分配分岐管が酸素透過性液体不透過性壁区分を備えることを特徴とする、請求項１〜６のいずれか一項に記載の酸素分配器。
【請求項８】
前記酸素送達領域から発出する複数の独立したサブネットワークを備え、各サブネットワークが前記酸素送達領域（１７）から延びる少なくとも１本の酸素分配管（１９Ａ）を備える、請求項１〜７のいずれか１項に記載の酸素分配器。
【請求項９】
前記酸素送達領域（１７）から延びる前記複数の酸素分配管の各々、及び／又は、各酸素分配分岐管（２１）が、酸素不透過性でかつ液体不透過性の壁部を備えることを特徴とする、請求項１〜８のいずれか１項に記載の酸素分配器。
【請求項１０】
前記酸素送達領域（１７）内及び前記酸素送達領域から延びる前記複数の酸素分配管（１９Ａ）の各々内に分布された多孔性材料（５）を備え、好ましくは前記多孔性材料が連続気泡フォームであることを特徴とする、請求項１〜９のいずれか１項に記載の酸素分配器。
【請求項１１】
前記酸素分配器は、切断領域（２７）を備え、前記切断領域が前記酸素送達領域の外部の前記酸素分配器の領域（１７）を形成し、
好ましくは、前記切断領域が、前記酸素分配器の面積を減少するために前記切断領域を横切るいずれかの場所で直線的な１回の切断が行われる場合、前記酸素送達領域（１７）から延びる各酸素分配管（１９Ａ）及び存在する場合には各酸素分配分岐管（２１）の合計４本以下がその幅を横切って切断されるように配列され、
より好ましくは、前記酸素送達領域（１７）から延びる各酸素分配管（１９Ａ）及び存在する場合には各酸素分配分岐管（２１）の各々の露出端が、２５、２０、１５、１０、５又は２ｍｍ2以下の表面積を有するように配列される、請求項１〜１０のいずれか１項に記載の酸素分配器。
【請求項１２】
前記酸素送達領域（１７）によって形成された酸素分配部（２９）と、前記酸素送達領域から延びる複数本の酸素分配管（１９Ａ）と、前記酸素送達領域から延びる前記複数本の前記酸素分配管から派生する複数の酸素分配管と、を備え、
前記酸素分配部の平面における面積が、前記分配器の総面積の５０％以下であり、好ましくは、前記分配器の総面積の４０％以下、３０％以下、２０％以下又は１０％以下であり、
より好ましくは、前記酸素分配部の平面における面積が滲出液用の開口部の総面積より小さい、請求項１〜１１のいずれか１項に記載の酸素分配器。
【請求項１３】
前記酸素分配部が、前記酸素分配部を横切る最大長さに等しい長さと前記酸素分配部を横切る最大幅に等しい幅を有する長方形内に配置される場合、酸素分配部によって被覆された前記長方形内の面積が、前記長方形の面積の５０％以下であり、好ましくは、前記長方形の面積の４０％以下、３０％以下、２０％以下又は１０％以下である、ことを特徴とする、請求項１２に記載の酸素分配器。
【請求項１４】
前記酸素分配部を囲繞する直径又は前記酸素分配部によって被覆された円又は閉鎖形状内の面積を横切る最大距離に等しい横行寸法を持つ円又は閉鎖形状が、前記円又は閉鎖形状の面積の５０％以下であり、好ましくは、前記円の面積の４０％以下、３０％以下、２０％以下又は１０％以下である、ことを特徴とする、請求項１３に記載の酸素分配器。
【請求項１５】
請求項１〜１４のいずれか一項に記載の酸素分配器と、
前記酸素分配器に接続されかつ前記酸素分配器の酸素送達領域へ酸素を供給するための酸素発生器とを備えている、酸素分配システム。